(57)【要約】【課題】制御系の負担を増大させることなく、メインとなるＬＣＤ表示器による抽選結果の報知の演出を視覚的に発展性を持たせることができ、遊技者に対して見易い配列とする。【解決手段】抽選の結果を報知する形態として、ＬＣＤ表示器１２４Ａによる図柄変動パターンの停止図柄の配列による表示演出と、３列ある図柄の停止順序をＬＥＤ表示器１２４Ｂに事前に表示しておき、実際に停止する順序との一致／不一致による演出と、を織り交ぜ、マンネリ化している停止図柄による抽選結果の報知演出にバリエーションを持たせ、図柄変動開始から期待感を持たせることができるようにした。また、この期待感は図柄の停止順序が一致している間は持続されるため、遊技者はＬＣＤ表示器１２４Ａでの図柄変動パターンに集中し、趣向性を向上することができる。【選択図】　　　　図４
2004105537.tif 000002
【特許請求の範囲】
【請求項１】
遊技盤上に設けられた始動口に遊技球が入賞することで抽選が実行され、当該抽選の結果に基づいて遊技の進行状態を変更可能な遊技機であって、
第１の表示器を備え、複数列の図柄変動パターンを表示し、当該図柄変動パターンにより前記抽選の結果を遊技者に報知する第１の表示制御手段と、
前記抽選の結果に基づいて、前記第１の表示器における各列の図柄変動パターンの停止時期を設定する停止時期設定手段と、
第２の表示器を備え、少なくとも前記第１の表示器における図柄変動パターンの停止前までに表示が実行され、前記第２の表示器に前記抽選の結果が当たりの場合に前記停止時期設定手段で設定された各列の真の停止順序を表示し、前記抽選結果が外れの場合に前記停止時期設定手段で設定された各列の偽の停止順序を表示する第２の表示制御手段と、
を有する遊技機。
【請求項２】
前記第１の表示器が前記遊技盤の略中央に設けられ、前記第２の表示器が前記第１の表示器に隣接して設けられ、第１の表示器が第２の表示器に比べて解像度が高いことを特徴とする請求項１記載の遊技機。
【請求項３】
前記第１の表示器がＬＣＤ表示器であり、第２の表示器がドットマトリクスパターンＬＥＤ表示器であることを特徴とする請求項１又は請求項２記載の遊技機。
【請求項４】
前記抽選の結果が当たりの場合に、前記第２の表示器に偽の停止順序を表示し、図柄変動パターンの停止図柄を予め定められた所定の配列とすることで当りを報知する当り図柄報知制御手段をさらに有することを特徴とする請求項１乃至請求項３の何れか１項記載の遊技機。
【発明の詳細な説明】
【０００１】
【発明の属する技術分野】
本発明は、遊技盤上に設けられた始動口に遊技球が入賞することで抽選が実行され、当該抽選の結果に基づいて遊技の進行状態を変更可能な遊技機に関するものである。
【０００２】
【従来の技術】
従来より、遊技機、特にパチンコ機において、始動入賞口（特別図柄始動入賞口）に入賞したパチンコ球を検出することで抽選がなされ、この抽選の結果、当たりとなると、大入賞口が所定期間、所定回数開放され（１回の開閉を１ラウンドとし、一般に１０〜１６ラウンド継続する。）、遊技球の入賞率を高める、遊技者に有利な状態とする機能（大当り）を持つパチンコ機がある。
【０００３】
この種のパチンコ機では、抽選の結果を遊技者に報知する演出として、パチンコ機のゲージ盤の中央に表示器（通常はＬＣＤ表示器）を設置している。この表示器は、複数の列の図柄変動画面が構成され（背景画面もある）、この変動する図柄が停止したときの並びで当たり外れを報知するようになっている。遊技者は、この図柄変動画面を見ることによって、当たりか外れかに一喜一憂するため、期待感を持たせることができる。また、盤面の中央に配置することで、遊技者にとって見易く、かつ盤面の他の部位への視線の移動を僅かですむ。
【０００４】
ところが、図柄変動画面の停止図柄によって当／外を報知する際、変動途中で外れが確定すると、その後の変動停止状態を見る必要がなく、遊技者から見れば無駄な時間となる。例えば、３列の図柄変動パターンの内、最初に停止する２列の図柄が外れ（ゾロ目ではない）の場合、最終停止図柄の停止を待つまでもなく、外れが確定してしまい、趣向性を損なうことになる。
【０００５】
このため、図柄変動の趣向性を向上するために、図柄変動の各列の停止順序を制御する技術として以下のような先行技術が提案されている（特許文献１乃至特許文献５）。
【０００６】
特許文献１には、複数の可変表示部に導出表示される表示態様に応じて、複数の可変表示部の可変表示動作の停止順序を変更して表示制御することが開示されている。この特許文献１では、表示結果態様決定手段によって求められた表示結果態様において、リーチ状態となる場合のケースや、ある条件を満たした場合にしか停止順は変化しない。
【０００７】
特許文献２には、３列の図柄が停止順序が変化した時点でリーチの発生及び大当りの発生を期待させることが開示され、上記リーチの発生等を期待して待つことができ、図柄表示装置を見つめる面白さが高まる。この特許文献２では、通常変動において３列の図柄停止順を変化させることで、リーチの発生及び大当りの発生を期待して遊技することができるとあるが、ある条件を満たした場合にしか停止順は変化しない。
【０００８】
特許文献３には、各図柄表示部の図柄停止順序を図柄表示装置の各駆動毎に内部選定することが開示されており、遊技者にとって、その停止順序が不明であるため、図柄変動状態への注意力がいやおうなく喚起され、かつ変化に富んだ表示態様を実現できる。この特許文献３では、通常の変動において３列の図柄停止順を各駆動毎に内部で停止順を抽選し、表示させているだけに過ぎず、遊技者にとっては、図柄停止の法則性が失われるので、逆の混乱してしまうという欠点がある。
【０００９】
特許文献４には、確率変動させた際に、図柄停止順序変更手段によって可変表示装置の可変表示部の図柄を停止させる順番を変更して、確率が変動中である旨を確実に報知することが開示されている。この特許文献４では、確率が変動した際に、図柄停止順序変更手段によって可変表示部の図柄停止順を変更して、確立が変動中である旨を確実に報知する手段でしかない。
【００１０】
特許文献５には、可変表示部による表示結果の導出順序が複数種類定められており、該表示結果導出順序選択手段により選択された順序に従って前記複数の可変表示部の表示結果を順に導出表示させる表示結果導出表示手段を備えた遊技機が開示されている。この特許文献５では、複数の停止順の中から遊技者が停止順を選択し、可変表示部の表示結果を選択することを可能にすることで、複数の可変表示部における表示結果の導出時における遊技の向趣が向上するとあるが、それは単に表示態様手段を遊技者が変化させるだけに過ぎない。
【００１１】
また、停止順序とは関係ないが、表示の変化性を向上させる先行技術として、特許文献６には、再抽選ような演出を行うことが提案されている。
【００１２】
特許文献６では、ＬＣＤ表示器上で図柄変動が開始され、外れとなったとき、ＬＣＤ表示器上で別抽選を実行し、この別抽選が当りの場合に本抽選を当り（図柄表示を外れ図柄配列から外れ図柄配列に切替え）とするようにしている。
【００１３】
【特許文献１】特開２０００−２６２６７７
【特許文献２】特開２００１−１０４５７８
【特許文献３】特開平９−１１７５５１号
【特許文献４】特開平５−３１７５０１号
【特許文献５】特開平１−２３６０８１号
【特許文献６】特開２００１−３１００３５
【００１４】
【発明が解決しようとする課題】
しかしながら、上記特許文献６に記載の先行技術では、ＬＣＤ表示器上の図柄変動停止後にさらに再抽選といった演出を行わなければならず、現状以上に図柄変動のための演出時間が冗長する。また、本抽選の結果が出るまでは、本抽選の当／外の結果を期待するのは従来通りであり、途中で最初の本抽選の結果が外れであることが確定すると、再抽選が始まるまでの時間が無駄となる。
【００１５】
なお、上記特許文献１乃至特許文５に記載の先行技術では、最終的に図柄変動パターンの停止図柄が予め定められた図柄配列（例えば、同一図柄）によって当りを報知することには変わりがなく、停止順序そのものが抽選の結果に関与するようなことはなく、図柄変動開始から終了まで継続的に遊技者に期待感を持たせることはできない。
【００１６】
本発明は上記事実を考慮し、図柄変動パターンの停止順序という停止図柄とは全く異なる形態での抽選結果の報知を行うと共に、図柄変動開始から継続的に遊技者の期待感を持続することができる遊技機を得ることが目的である。
【００１７】
【課題を解決するための手段】
請求項１に記載の発明は、遊技盤上に設けられた始動口に遊技球が入賞することで抽選が実行され、当該抽選の結果に基づいて遊技の進行状態を変更可能な遊技機であって、第１の表示器を備え、複数列の図柄変動パターンを表示し、当該図柄変動パターンにより前記抽選の結果を遊技者に報知する第１の表示制御手段と、前記抽選の結果に基づいて、前記第１の表示器における各列の図柄変動パターンの停止時期を設定する停止時期設定手段と、第２の表示器を備え、少なくとも前記第１の表示器における図柄変動パターンの各列における最初の停止前までに表示が実行され、前記第２の表示器に前記抽選の結果が当たりの場合に前記停止時期設定手段で設定された各列の真の停止順序を表示し、前記抽選結果が外れの場合に前記停止時期設定手段で設定された各列の偽の停止順序を表示する第２の表示制御手段と、を有している。
【００１８】
請求項１記載の発明によれば、始動口に遊技球が入賞して抽選が実行されると、この抽選の結果を報知するべく、第１の表示制御手段では、第１の表示器へ複数列の図柄変動パターンの変動を開始する。
【００１９】
また、停止時期設定手段では、抽選結果に基づいて前記各列の停止時期を設定する。この停止時期には、各列間でずれを持たせており、第２の表示制御手段では、最初に停止する列の図柄変動パターンが停止する前までに、第２の表示器へ各列における停止順序を表示する。このとき、抽選が当りの場合には、表示する停止順序は真の停止順序とし、抽選結果が外れの場合には、表示する停止順序は偽の停止順序とする。
【００２０】
このような停止順序が表示されることで、遊技者は最初の列の図柄変動パターンの停止から第１の表示器を期待感を持って凝視することになり、かつ停止順序があっていれば、期待感を持続することができる。
【００２１】
請求項２に記載の発明は、前記請求項１に記載の発明において、前記第１の表示器が前記遊技盤の略中央に設けられ、前記第２の表示器が前記第１の表示器に隣接して設けられ、第１の表示器が第２の表示器に比べて解像度が高いことを特徴としている。
【００２２】
請求項２に記載の発明によれば、基本的には図柄変動パターンが重要であるため、第１の表示器は停止順序のみがわかればよい第２の表示器よりも解像度の高いものを適用し、かつ第１の表示器を最も見易い遊技盤の中央とし、この第１の表示器に隣接して第２の表示器を配設する。
【００２３】
上記配置により、遊技者は視線の移動等の負担なく、停止順序を把握し、図柄変動パターンを確認することができる。
【００２４】
請求項３に記載の発明は、前記請求項１又は請求項２に記載の発明において、前記第１の表示器がＬＣＤ表示器であり、第２の表示器がドットマトリクスパターンＬＥＤ表示器であることを特徴としている。
【００２５】
請求項３に記載の発明によれば、第１の表示器はＬＣＤ表示とする。ＬＣＤ表示器は、近年では高解像度化が進み、図柄変動パターンを含み背景画像（動画、静止画）による演出のバリエーションを拡大することができる。一方、第２の表示器は、表示順序という情報報知であるため、ドットマトリクスパターンのＬＥＤ表示器とする。ＬＥＤ表示器は安価であり、配列の自由度もあり、かつ消費電力も少ないため、遊技機全体としての省エネにつながる。
【００２６】
請求項４に記載の発明は、前記請求項１乃至請求項３の何れか１項記載の発明において、前記抽選の結果が当たりの場合に、前記第２の表示器に偽の停止順序を表示し、図柄変動パターンの停止図柄を予め定められた所定の配列とすることで当りを報知する当り図柄報知制御手段をさらに有することを特徴としている。
【００２７】
上記請求項１乃至請求項３では、停止順序のみで抽選の当／外の報知を行うように説明したが、従来から存在する図柄変動パターンの所定の停止図柄配列（例えば、全て同一図柄）によって当／外を報知を兼用することで、抽選結果の報知のバリエーションをさらに拡大することができる。
【００２８】
すなわち、請求項４に記載の発明によれば、当り図柄報知制御手段では、抽選の結果が当たりの場合に、前記第２の表示器に偽の停止順序を表示し、図柄変動パターンの停止図柄を予め定められた所定の配列とすることで当りを報知する。これにより、停止順序が第２の表示器に表示された順序と異なっていても、例えば同一図柄で停止している場合には、当りの期待があり、期待感を持続させることができる。
【００２９】
【発明の実施の形態】
図１には、第１の実施の形態に係るパチンコ機１１０が示されている。このパチンコ機１１０は、矩形の枠体１１３でその外形が構成されており、店側のベース面１１５に支持されている。また、枠体１１３には、装飾版１１３Ａ、スピーカ１６２、キーシリンダ１１３Ｂ等が配設されている。
【００３０】
枠体１１３の内側正面には、透明ガラス板１１０Ａがガラス枠１１０Ｂに嵌め込まれた状態で配設されている。この透明ガラス板１１０Ａで仕切られた内側領域には、遊技盤１１１が配設されている。また、この遊技盤１１１における円弧状のレール１１２で囲まれた領域が遊技領域であるゲージ部１１４とされている。
【００３１】
図２に示される如く、ゲージ部１１４には、全面に渡って複数の釘１１６が打ち込まれ、レール１１２を通って打ち出されたパチンコ球がこの釘１１６に当たって跳ねたり、釘１１６によって形成される案内路に案内されながら、落下していくようになっている。また、この釘１１６の他、ゲージ部１１４に向かって左右対称の位置には、３個の風車１１８Ａ乃至Ｃが取り付けられており、パチンコ球を予期しない方向へ方向転換させるようになっている。
【００３２】
さらに、ゲージ部１１４には複数の位置に入賞口１２０が設けられ、この入賞口１２０にパチンコ球が入ることにより、所定数のパチンコ球が遊技者に払い出されるようになっている。
【００３３】
このようなゲージ部１１４は、ほぼ左右対称系とされており、この中央部には電動役物ユニット１２２が配置され、その表示部１２４が露出されている。この表示部１２４の下方には電動役物ユニット１２２を始動するための特別図柄始動入賞口１２６が設けられている。
【００３４】
ここで、本実施の形態に係る表示部１２４は、第１の表示器（主表示器）としてのＬＣＤ表示器１２４Ａと、第２の表示器（副表示器）としてのＬＥＤ表示器１２４Ｂと、の２個の異なる形態の表示器で構成されている（図４参照）。
【００３５】
ＬＣＤ表示器１２４Ａは、解像度が非常に高く、一般には４インチ〜６インチサイズの画角において数百万画素で構成されている。ＬＣＤ表示器１２４Ａは、それぞれの画素が発光源を持たず、電気信号に応じて所定の階調（８ビット）の開閉度合いで制御され、バックライトの透過度で画像の輝度が表現され、かつ隣接する３画素を１組として、それぞれにＲＧＢの色フィルタを持っている。これにより、画像データに応じて各画素を所定の階調で表示することで、鮮明がカラー画像を得ることができる。
【００３６】
このＬＣＤ表示器１２４Ａは、遊技盤１１１の中央に配置されている。より具体的には、ＬＣＤ表示器１２４Ａの対角線の交点が、遊技盤１１１の縦方向の寸法の中心と、横方向の寸法の中心との交点にほぼ一致するように配置されている。
【００３７】
この位置は、遊技者がパチンコ機１１０の前に着座したときの視線の高さにほぼ一致するため、遊技者にとって最も見やすい位置となっている。また、遊技盤１１１の中央にＬＣＤ表示器１２４Ａを配置することで、遊技盤１１１の他の部位への視線の移動が最も少なくて済むことになる。
【００３８】
図４に示される如く、このＬＣＤ表示器１２４Ａには、縦スクロールの図柄変動領域が設けられており、それぞれ複数の図柄が帯状に配列され、繰り返しスクロール表示されるようになっている。
【００３９】
一方、図４に示される如く、ＬＥＤ表示器１２４Ｂは、前記ＬＣＤ表示器１２４Ａの正面から向かって右側に隣接して配置されている。ＬＣＤ表示器１２４Ａでは、縦寸法が前記ＬＣＤ表示器１２４Ａとほぼ同一であるが、横寸法は短く、縦長状の表示領域を構成しており、当該表示領域に複数のＬＥＤ素子１２５がマトリクス状に配列されて構成されている（図４では、縦×横＝３２ドット×１６ドット）。なお、ＬＥＤ素子は独立して点灯、消灯制御される。
【００４０】
特別図柄始動入賞口１２６のさらに下方には、大入賞口１２８が配置され、この大入賞口１２８を開閉する開閉部材１２９は、前記電動役物ユニット１２２での所謂当りの表示状態で所定時間の開放が所定回数繰り返され、大量のパチンコ球を入賞させることができる構成となっている。
【００４１】
また、前記電動役物ユニット１２２の上部には、横１列に４個の保留ランプ２００が配列されている。この保留ランプ２００は、特別図柄始動入賞口１２６に入賞したパチンコ球が最大４球分保留されていることを点灯状態で報知するものであり、電動役物ユニット１２２による抽選結果の案内が終了した時点で、保留された分が消化されて消灯するようになっている。
【００４２】
また、ゲージ部１１４には、普通図柄始動入賞口１３０が設けられており、普通図柄始動入賞口１３０にパチンコ球が入賞すると、普通図柄表示部１３２（図３参照）の表示が変動し、所定当り数字になると、前記特別図柄始動入賞口１２６に設けられた可動部としての電動チューリップ１３４が所定時間開放するようになっている。この電動チューリップ１３４の開放により、特別図柄始動入賞口１２６への入賞の確率が物理的に高まることになる。
【００４３】
図１に示される如く、上記ゲージ部１１４の下部、すなわち、透明ガラス板１１０Ａの下部は、パネル部１４０とされ、その上部パネル１４０Ａには上皿１４１が設けられ、下部パネル１４０Ｂには、発射装置の操作部としてのハンドル１３６と、上皿１４１から落下するパチンコ球を受ける下皿１３８とが設けられている。なお、下部パネル１４０Ｂには、灰皿１４３も設けられている。
【００４４】
ハンドル１３６は、前記パネル１４０の内部から突出された回転軸に取付けられており、この回転軸を中心に回転可能とされている。すなわち、遊技者がこのハンドル１３６を把持して回転することで、発射装置が稼動すると共に、前記回転角度に基づいて発射強度が設定されるようになっている。なお、この回転には、復帰付勢力が付与されており、遊技者が手を離すと自動的に元の回転位置に戻る構造となっている。
【００４５】
図３には、パチンコ機１１０を制御するための制御系の概略が示されている。制御系は、主制御基板１５０を中心として、払出制御基板１５２、音声制御基板１５４、ランプ制御基板１５６、発射制御基板１５８、図柄表示制御基板１６０等、機能毎に分類されている（なお、以下これらを総称する場合、副制御基板１５１という）。
【００４６】
なお、主制御基板１５０並びに副制御基板１５１は、管理制御基板２０６を介してパチンコ店側のホールコンピュータ２０８に接続することにより、パチンコ機の稼動状況を管理することも可能となっている。
【００４７】
主制御基板１５０には、遊技に関する基本的なプログラムが記憶されており、この主制御基板１５０からの命令信号に基づいて、その他の副制御基板１５１が独自に実行する。すなわち、主制御基板１５０は基本的に命令を出力するのみで、その結果等のフィードバックは受けない構成となっている。
【００４８】
払出制御基板１５２は、パチンコ球の払出し数を制御するものであり、音声制御基板１５４は、パチンコ機１１０に設けられたスピーカ１６２からの効果音等の出力を制御する。また、ランプ制御基板１５６は、パチンコ機１１０に取り付けられた電飾部材（遊技盤側表示灯）１６４の点灯・消灯を制御し、発射制御基板１５８は、遊技者によるパチンコ球の発射を制御する。
【００４９】
図柄表示制御基板１６０は、前記表示部１２４と表示ドライバ１６６を介して接続されており、主制御基板１５０からの命令信号に基づいて、所定の演出効果をもたらす表示を実行する。なお、この図柄表示制御基板１６０は、普通図柄表示部１３２も制御する。
【００５０】
前記主制御基板１５０には、特別図柄始動入賞口１２６に設けられた特別図柄入賞センサ１６８及び普通図柄始動入賞口１３０に設けられた普通図柄入賞センサ１７０、各入賞口１２０に設けられた入賞センサ１７２、並びに大入賞口１２８に入賞したパチンコ球を検出する大入賞口センサ１７３が接続されている。なお、大入賞口１２８には、大入賞口の開閉動作を継続するためのＶゾーンが設けられており、このＶゾーンにもＶゾーンセンサ１７１が設けられており、主制御基板１５０に接続されている。
【００５１】
また、この主制御基板１５０には、電動チューリップ１３４を開閉させるためのソレノイド１７４、大入賞口１２８の開閉部材１２９を開閉させるためのソレノイド１７５、保留ランプ２００が接続されている。
【００５２】
また、主制御基板１５０では、特別図柄や普通図柄の抽選がなされ、この抽選結果に基づく表示部１２４での表示内容を選択し、図柄表示制御基板１６０へ命令信号を出力する。すなわち、図柄表示制御基板１６０には、複数種の命令信号に基づく異なる表示内容のデータが予め記憶されており、命令信号に基づいてデータが選択されて、起動するようになっている。
【００５３】
ここで、本実施形態の図柄表示制御基板１６０では、表示部１２４として構成されている前記ＬＣＤ表示器１２４ＡとＬＥＤ表示器１２４Ｂとの両方の表示制御を実行している。すなわち、図柄表示制御基板１６０には、主制御基板１５０から所定の命令信号が入力されて表示内容が決定した後、この表示内容に基づいてＬＣＤ表示器１２４Ａには図柄変動パターンを表示し、ＬＥＤ表示器１２４Ｂには前記図柄変動パターンの停止順序を示す情報を表示する。以下、図５に、この２個の表示器による表示制御に関する制御ブロック図を示す。
【００５４】
主制御基板１５０から入力される命令信号は、命令信号解析部２５０に入力され、この命令信号解析部２５０において、図柄変動パターンデータを特定するための信号を画像データ読出部２５２、各列停止時期設定部２５４へ送出すると共に、抽選結果（当／外判定）の信号を各列停止時期設定部２５４へ送出する。
【００５５】
画像データ読出部２５２では、図柄変動パターン画像データメモリ２５６から所定の図柄変動パターンを読出し、停止順序登録部２５８へ送出する。
【００５６】
一方、各列停止時期設定部２５４では、各列の停止時期が設定される。この停止時期には、以下に示すいくつかのパターンがある（併せて表１参照）。
【００５７】
▲１▼　抽選結果が当りの場合で、図柄変動パターンが所謂当り図柄（同一図柄）ではない場合に、各列の停止順序が、ＬＥＤ表示器１２４Ｂに表示される表示停止順序と一致する真の停止時期が設定され、前記停止順序登録部２５８及び表示用停止順序画像読出部２６０へ送出される。なお、表示用停止順序画像読出部２６０では、真偽の判定信号も送出される。
【００５８】
▲２▼　抽選結果が当りの場合で、図柄変動パターンが所謂当り図柄の場合に、各列の停止順序が、ＬＥＤ表示器１２４Ｂに表示される表示停止順序と一致しない偽の停止時期が設定され、前記停止順序登録部２５８及び表示用停止順序画像読出部２６０へ送出される。なお、表示用停止順序画像読出部２６０では、真偽の判定信号も送出される。
【００５９】
▲３▼　抽選結果が外れの場合に、各列の停止順序が、ＬＥＤ表示器１２４Ｂに表示される表示停止順序と一致しない偽の停止時期が設定され、前記停止順序登録部２５８及び表示用停止順序画像読出部２６０へ送出される。なお、表示用停止順序画像読出部２６０では、真偽の判定信号も送出される。
【００６０】
【表１】
2004105537.tif 000003
【００６１】
停止順序登録部２５８では、読み出された図柄変動パターンの各列の停止順序が登録され、これにより、この登録された順序で各列の図柄変動パターンの停止時期が制御されるようになっている。
【００６２】
一方、表示用停止順序画像読出部２６０では、前記各列停止時期設定部２５４で設定された停止時期と、真偽の設定に基づいて、表示順序画像データメモリ２６２から停止順序画像を読み出し、表示タイミング指示部２６４へ送出する。
【００６３】
この停止順序画像は、左図柄を「Ｌ」、中図柄を「Ｃ」、右図柄を「Ｒ」とすると、「ＬＲＣ」、「ＬＣＲ」、「ＲＣＬ」、「ＲＬＣ」、「ＣＲＬ」、「ＣＬＲ」の６種類である（図６（Ａ）参照）。読み出される停止順序画像は、真の場合には前記停止順序登録部２５８で登録される実際の停止順序と一致のデータであり、一義的に決まる。一方、偽の場合には前記停止順序登録部２５８で登録される実際の停止順序と不一致のデータであり、５種類の中から選択されるようになっている。
【００６４】
なお、表示形態は、アルファベットに限らず、漢字であってもよい（図６（Ｂ）参照）。
【００６５】
上記停止順序が登録された図柄変動パターンは表示タイミング指示部２６４へ送出される。表示タイミング指示部２６４では、ＬＣＤ表示器１２４Ａで図柄変動パターンの表示（変動）が開始される直前又は同時期に、ＬＥＤ表示器１２４Ｂに停止順序を示す画像を表示するように、双方の表示タイミングを指示し、それぞれ停止順序表示制御部２６６及び図柄変動パターン制御部２６８へ画像データ（停止順序文字データ及び図柄変動パターンデータ）が送出される。
【００６６】
ＬＣＤ表示器１２４Ａ用の画像データは、図３に示す表示ドライバ１６６の一部を構成するＬＣＤドライバ１６６Ａへ送出され、ＬＥＤ表示器１２４Ｂ用の画像データは、前記ＬＣＤドライバ１６６Ａと共に図３に示す表示ドライバ１６６を構成するＬＥＤドライバ１６６Ｂへ送出される。
【００６７】
ＬＣＤ表示ドライバ１６６Ａ及びＬＥＤ表示ドライバ１６６Ｂは、それぞれＬＣＤ表示器１２４Ａ及びＬＥＤ表示器１２４Ｂを制御し、画像を表示する。
【００６８】
ＬＥＤ表示器１２４Ｂに表示される画像（文字）は、表２の▲１▼欄に示される如く、左が図柄を「Ｌ」、中図柄を「Ｃ」、右図柄を「Ｒ」として表示する。なお、この非表示文字は、表２の▲２▼欄に示すように「左」、「中」、「右」という漢字を表示してもよいし、記号等で表現してもよい。また、図柄変動が横方向の場合には、上図柄、中図柄、下図柄となるため、表２の▲３▼欄に示すように、「上」、「中」、「下」という漢字や、英語の頭文字を利用すればよい。
【００６９】
【表２】
2004105537.tif 000004
【００７０】
以下に本実施の形態の作用を説明する。
【００７１】
まず、パチンコ球が発射されると、レール１１２に案内されてゲージ部１１４の釘１１６や風車１１８Ａ乃至Ｄ等に当接しながら、予測し得ない移動をしながら落下していく。ここで、入賞口１２０に入賞すると、予め定められた数のパチンコ球が払い出される（賞球）。また、普通図柄始動入賞口１３０に入賞するとこれを普通図柄入賞センサ１７０で検出する。
【００７２】
この検出により、主制御基板１５０では、普通図柄の抽選が開始される。すなわち、乱数カウンタを用いて、所定の確率で０〜９までの数字を抽選する。抽選の結果、外れの場合には、特に遊技状態に変化はない。一方、抽選の結果、当り（例えば、当り数字の７が抽選される）の場合には、主制御基板１５０は、特別図柄始動入賞口１２６に設けられた電動チューリップ１３４を開放状態とするべく、ソレノイド１７４へ通電する。これにより、特別図柄始動入賞口にパチンコ球が入り易い、高確率状態とすることができる。
【００７３】
前記特別図柄始動入賞口１２６にパチンコ球が入賞すると、主制御基板１５０では、乱数カウンタを用いて所定の確率下で大当り抽選が開始される。この大当り抽選の結果、当り／外れが決定すると、それぞれにおいて、予め準備された図柄変動パターン（図柄変動パターン）を選択（乱数カウンタで選択してもよい）し、図柄表示制御基板１６０を含む演出に関連する制御基板へコマンド信号を送出する。
【００７４】
図柄表示制御基板１６０では、受信したコマンド信号に基づいて、表示ドライバ１６６を介して表示部１２４に図柄変動パターンを表示する。この図柄変動パターンにおいては、リーチを経由した当り、外れリーチ、リーチを経由しない外れ等、様々な演出があり、遊技者は期待感をもって抽選結果を待つことができる。
【００７５】
すなわち、当り時の図柄変動制御が終了すると、予め設定したラウンド数（例えば、１５ラウンド）の大当たり処理が実行される。この大当たり処理中は、大入賞口１２８がほとんど開放状態であるため、遊技者によって有利な状態とすることができる。所定ラウンドの大当たり処理が終了すると、通常の遊技に戻る。
【００７６】
ここで、本実施の形態では、表示部１２４による抽選結果の報知を、２個の表示器（ＬＣＤ表示器１２４Ａと、ＬＥＤ表示器１２４Ｂ）を用いて行なっている。ＬＣＤ表示器１２４Ａは、遊技盤１１１の中央に配置されており、遊技者にとって最も見易い位置となっているため、前記図柄変動パターンによる報知を見逃さない。また、この中央のＬＣＤ表示器１２４Ａから他の遊技盤１１１の部位への視線を移動が最も少ないため、遊技者は遊技盤１１１全域に注意を払って遊技を進行することができる。
【００７７】
また、ＬＥＤ表示器１２４Ｂは、上記ＬＣＤ表示器１２４Ａの正面から向かって右側に隣接して設けられており、ＬＣＤ表示器１２４Ａによる図柄変動パターンの各列の停止順序の表示を行なう。すなわち、ＬＥＤ表示器１２４Ｂに表示された停止順序と、ＬＣＤ表示器１２４Ａに表示される図柄変動パターンの各列の停止順序とが一致するか否かによって、当／外の結果を報知するという、図柄変動パターンの停止図柄の配列以外の報知形態を付加しており、報知の演出のバリエーションを高めている。
【００７８】
以下に、前記ＬＣＤ表示器１２４ＡとＬＥＤ表示器１２４Ｂとの２個の表示器による図柄表示制御基板１６０での表示準備制御及び表示制御について図７及び図８のフローチャートに従い説明する。
【００７９】
まず、図７において、表示準備制御ルーチンを説明する。
【００８０】
ステップ３００では、命令信号が入力されたか否かが判断され、肯定判定されるとステップ３０２へ移行して命令信号の解析がなされる。
【００８１】
次のステップ３０４では、解析の結果、抽選が当りか否かが判断され、肯定判定されると、ステップ３０６へ移行して図柄変動パターンを特定し、次いでステップ３０８で図柄変動パターンを読出しステップ３１０へ移行する。
【００８２】
ここで、主制御基板１５０から当たりの場合、従来は３列の停止図柄が全て同一の図柄変動パターンを選択することになるが、本実施の形態では、停止順序で当たりを報知する形態もあり、あえて外れ図柄を選択する場合がある。
【００８３】
このため、ステップ３１０では、読み出された図柄変動パターンが外れ図柄か否かが判断される。
【００８４】
ステップ３１０で肯定判定された場合には、停止順序によって当たりを報知をするべく、ステップ３１２へ移行して真の停止順序を設定し、ステップ３１６へ移行する。この真の停止順序の設定は、図柄変動パターンに登録する停止順序と、ＬＥＤ表示器１２４Ｂに表示する停止順序とが一致する設定である。
【００８５】
また、ステップ３１０で否定判定された場合には、停止図柄によって当たりを報知するべく、ステップ３１４へ移行して偽の停止順序を設定し、ステップ３１６へ移行する。この偽の停止順序の設定は、図柄変動パターンに登録する停止順序と、ＬＥＤ表示器１２４Ｂに表示する停止順序とが一致しない設定である。
【００８６】
ここで、前記ステップ３０４で否定判定、すなわち抽選結果が外れであった場合、ステップ３１８へ移行して図柄変動パターンを特定し、次いでステップ３２０で図柄変動パターンを読出して、ステップ３２２へ移行する。
【００８７】
ステップ３２２では、偽の停止順序を設定し、ステップ３１６へ移行する。外れの場合は、特定される図柄変動パターンも停止図柄が揃わないパターンが選択され、実際の停止順序も表示された停止順序と一致しない設定が必要であるからである。
【００８８】
ステップ３１６では、図柄変動パターンにそれぞれ設定された真偽の停止順序に従い、停止順序を設定すると共に、ステップ３２４へ移行してＬＥＤ表示器１２４Ｂで表示するための停止順序画像を読出し、このルーチンは終了し、図７の表示制御に移行する。
【００８９】
図８には、表示制御ルーチンが示されている。
【００９０】
上記で説明した表示準備が終了すると、図８のステップ３５０においてＬＣＤ表示器１２４Ａへの図柄変動パターン表示を開始し、次いでステップ３５２へ移行してＬＥＤ表示器１２４Ｂに停止順序画像を表示する。なお、この順序は逆であってもよく、少なくとも図柄変動パターンの内、第１停止図柄が停止する前までに停止順序画像が表示されればよい。
【００９１】
次のステップ３５４では、第１停止図柄の停止順序が、ＬＥＤ表示器１２４Ｂに表示されている第１停止図柄と一致しているか否かが判断され、肯定判定されるとステップ３５６へ移行し、第２停止図柄の停止順序が、ＬＥＤ表示器１２４Ｂに表示されている第２停止図柄と一致しているか否かが判断される。
【００９２】
このステップ３５６で肯定判定されると、停止順序の一致が確定され（第３図柄の停止は一義的に決まる）、ステップ３５８で全図柄の停止を確認すると、この実施の形態では、停止順序が一致するときの停止図柄は外れ図柄に設定しているため、ステップ３６０へ移行し、再変動して当り図柄で停止させる。
【００９３】
次のステップ３６２では当り処理（表示部１２４上での演出処理）が実行され、このルーチンは終了する。
【００９４】
一方、ステップ３５４又はステップ３５６で否定判定されると、停止順序が一致しないことが確定するため、ステップ３６４へ移行する。ステップ３６４で全図柄の停止を確認すると、ステップ３６６で停止図柄が当たり図柄か否かが判断される。すなわち、従来の停止図柄による抽選結果の報知であり、ステップ３６６で肯定判定されると、ステップ３６２へ移行して当り処理を実行し、ステップ３６６で否定判定されると、ステップ３６８へ移行して外れ処理を実行し、このルーチンは終了する。
【００９５】
以上説明したように本実施の形態では、抽選の結果を報知する形態として、ＬＣＤ表示器１２４Ａによる図柄変動パターンの停止図柄の配列による表示演出と、３列ある図柄の停止順序をＬＥＤ表示器１２４Ｂに事前に表示しておき、実際に停止する順序との一致／不一致による演出と、を織り交ぜ、マンネリ化している停止図柄による抽選結果の報知演出にバリエーションを持たせ、図柄変動開始から期待感を持たせることができるようにした。また、この期待感は図柄の停止順序が一致している間は持続されるため、遊技者はＬＣＤ表示器１２４Ａでの図柄変動パターンに集中し、趣向性を向上することができる。
【００９６】
また、外れ図柄で停止しても、停止順序が一致すれば当りとなるため、遊技者からすれば、所謂救済措置としてとらえることができ、見掛け上ではあるが、当りの確率が高まった感覚を得ることができ、遊技への意欲を増大させることができる。
【００９７】
なお、本実施の形態では、ＬＣＤ表示器１２４Ａを遊技盤１１１の中央に配置し、ＬＥＤ表示器１２４ＢをこのＬＣＤ表示器１２４Ａの正面から向かって右側に隣接して配置したが、ＬＣＤ表示器１２４Ａが中央に配置されていれば、右側に隣接配置することは必須ではない。例えば、図９に示される如く、ＬＣＤ表示器１２４Ａの下部にＬＥＤ表示器１２４Ｂを配置した構造であっても同様の効果を得ることができる。
【００９８】
また、副表示器としてのＬＥＤ表示器１２４Ｂは、単一ではなく、例えば、図１０に示される如く、ＬＣＤ表示器１２４Ａの左右に隣接して配置する構成であってもよい。
【００９９】
さらに、副表示器としてのＬＥＤ表示器１２４Ｂは、矩形である必要はなく、図１１に示される如く、ＬＣＤ表示器１２４Ａを取り囲むような枠状の形であってもよい。
【０１００】
【発明の効果】
以上説明した如く本発明では、制御系の負担を増大させることなく、メインとなるＬＣＤ表示器による抽選結果の報知の演出を視覚的に発展性を持たせることができ、遊技者に対して見易い配列とすることができるという優れた効果を有する。
【図面の簡単な説明】
【図１】本実施の形態に係るパチンコ機の正面図である。
【図２】本実施の形態に係るゲージ部の正面図である。
【図３】本実施の形態に係るパチンコ機の制御系を示すブロック図である。
【図４】表示部の拡大図である。
【図５】本実施の形態に係る図柄表示制御基板での表示準備制御及び表示制御を示すブロック図である。
【図６】ＬＥＤ表示器における停止順序表示のパターンを示し、（Ａ）が本実施の形態、（Ｂ）が変形例を示す。
【図７】本実施の形態に係る図柄表示制御基板での表示準備制御を示すフローチャートである。
【図８】本実施の形態に係る図柄表示制御基板での表示準備制御を示すフローチャートである。
【図９】表示部の配置の変形例を示す拡大図である。
【図１０】表示部の配置の変形例を示す拡大図である。
【図１１】表示部の配置の変形例を示す拡大図である。
【符号の説明】
１１０　　パチンコ機（遊技機）
１１１　　遊技盤
１２２　　電動役物ユニット
１２４　　表示部
１２４Ａ　　ＬＣＤ表示器（第１の表示器）
１２４Ｂ　　ＬＥＤ表示器（第２の表示器）
１５０　　主制御基板
１５１　　副制御基板
１６０　　図柄表示制御基板
１６６　　表示ドライバ
１６６Ａ　　表示ドライバ
１６６Ｂ　　表示ドライバ
２５０　　命令信号解析部
２５２　画像データ読出部
２５４　　各列停止時期設定部（停止時期設定手段）
２５６　　図柄変動パターン画像データメモリ
２５８　　停止順序登録部
２６０　　表示用停止順序画像読出部
２６２　　表示順序画像データメモリ
２６４　　表示タイミング指示部
２６６　　停止順序表示制御部（第２の表示制御手段）
２６８　　図柄変動パターン制御部（第１の表示制御手段）
【図１】
2004105537.tif 000005
【図２】
2004105537.tif 000006
【図３】
2004105537.tif 000007
【図４】
2004105537.tif 000008
【図５】
2004105537.tif 000009
【図６】
2004105537.tif 000010
【図７】
2004105537.tif 000011
【図８】
2004105537.tif 000012
【図９】
2004105537.tif 000013
【図１０】
2004105537.tif 000014
【図１１】
2004105537.tif 000015